(57)【要約】【課題】パチンコ機のガラス扉の低コスト化及びガラス窓部分の拡大化を実現しながら、不正行為やガラス板の振動音を防止できるようにする。【解決手段】ガラス扉１４の扉枠１７を、上側の扉枠部材２０と下側の扉枠部材２１とに分割可能に構成し、各扉枠部材２０，２１の開口部１８の内周に、ガラス板１９の外縁部を嵌め込むための２本の嵌合溝２２を形成する。分割された扉枠１７の各扉枠部材２０，２１の２本の嵌合溝２２に、それぞれガラス板１９の外縁部を嵌め合わせた状態で、各扉枠部材２０，２１の結合片部２３，２４をネジ２５等で上下方向に締め付けることで、扉枠１７に２枚のガラス板１９の外縁部を圧接させるように固定して、扉枠１７と２枚のガラス板１９とをユニット化した複層ガラスユニットを構成する。これにより、扉枠１７を２枚のガラス板１９で補強してガラス扉１４全体の強度を増大させる。【選択図】　図２
2004105522.tif 000002
【特許請求の範囲】
【請求項１】
遊技機の前面側に開閉可能に取り付けられる扉枠の開口部にガラス板を設けたガラス扉であって、
前記扉枠に前記ガラス板の外縁部を圧接又は密着させるように固定して該扉枠を該ガラス板で補強するように構成したことを特徴とする遊技機のガラス扉。
【請求項２】
前記扉枠は複数の部材に分割可能に構成され、分割された扉枠の各部材に前記ガラス板の外縁部を嵌め合わせた状態で該扉枠の各部材を結合する方向に締め付けることで、前記扉枠に前記ガラス板が固定されていることを特徴とする請求項１に記載の遊技機のガラス扉。
【請求項３】
前記扉枠と前記ガラス板とを接着することで、前記扉枠に前記ガラス板が固定されていることを特徴とする請求項１又は２に記載の遊技機のガラス扉。
【請求項４】
前記扉枠に複数枚のガラス板を所定間隔で固定したことを特徴とする請求項１乃至３のいずれかに記載の遊技機のガラス扉。
【発明の詳細な説明】
【０００１】
【発明の属する技術分野】
本発明は、遊技機の前面側に開閉可能に取り付けられる扉枠の開口部にガラス板を設けた遊技機のガラス扉に関するものである。
【０００２】
【従来の技術】
従来の一般的な遊技機（例えばパチンコ機）のガラス扉は、遊技盤の前面側にヒンジ機構等を介して開閉可能に取り付ける樹脂製の扉枠に、ガラス板を保持するためのガラス保持枠を一体又は別体で設け、このガラス保持枠のレール溝に、ガラス板の外縁部を嵌め込むことで、扉枠の開口部にガラス板を取り付けるようにしたものが多い。このようなガラス扉は、樹脂製の扉枠のみでは、外力等に対する強度が弱いため、扉枠の裏面に補強用の金属板を取り付けて、樹脂製の扉枠が変形するのを防止するようにしたものがある（例えば、特許文献１参照）。
【０００３】
【特許文献１】
特開平１０−２７７２３２号公報（第２頁等）
【０００４】
【発明が解決しようとする課題】
しかし、上記従来構成のガラス扉では、扉枠を補強するために、補強用の金属板を用いる必要があるので、部品コストが高くなってしまう。しかも、遊技領域拡大の要求に伴ってガラス扉のガラス部分の面積（つまり扉枠の開口部の面積）を拡大することが要求されるようになってきているが、上記従来構成のガラス扉では、扉枠の開口部を囲む枠部分をある程度幅広に形成して、補強用の金属板の取付スペースや扉枠自体の強度を確保する必要があるため、扉枠の枠部分の幅寸法をあまり細くすることができず、扉枠の開口部の面積、ひいてはガラス窓部分の面積を十分に拡大できないという欠点がある。
【０００５】
また、ガラス保持枠のレール溝にガラス板の外縁部を嵌め込んでガラス板を保持する方式では、ガラス板の組付性（嵌め込みやすさ）を確保するために、ガラス保持枠のレール溝とガラス板との間にある程度の隙間（クリアランス）を設けるようにしている。このため、その隙間を利用して遊技盤に対して不正行為がされる可能性がある。また、遊技盤を転動するパチンコ球がガラス板に当ったときに、ガラス板が振動してガラス板の外縁部とガラス保持枠のレール溝とが衝突し、不快な振動音が発生するという問題もある。
【０００６】
本発明はこのような事情を考慮してなされたものであり、従ってその目的は、ガラス扉の低コスト化及びガラス窓部分拡大の要求を満たすことができると共に、遊技盤に対する不正行為やガラス板の振動音を防止することができる遊技機のガラス扉を提供することにある。
【０００７】
【課題を解決するための手段】
上記目的を達成するために、本発明の請求項１の遊技機のガラス扉は、遊技機の前面側に開閉可能に取り付けられる扉枠にガラス板の外縁部を圧接又は密着させるように固定して該扉枠を該ガラス板で補強するように構成したものである。
【０００８】
この構成では、扉枠にガラス板をがた無く固定して扉枠とガラス板とをユニット化させた状態にするため、扉枠をガラス板で補強してガラス扉全体の強度を増大させることができる。これにより、補強用の金属板を省略することができると共に、扉枠の枠部分の幅寸法を細くして、扉枠の開口部の面積（ガラス窓部分の面積）を拡大することが可能となる。また、扉枠にガラス板の外縁部を圧接又は密着させるため、ガラス板と扉枠との間の隙間を無くすことができ、その隙間を利用した遊技盤に対する不正行為やガラス板の振動音を防止することができる。
【０００９】
この場合、ガラス板の具体的な固定方法としては、例えば、請求項２のように、扉枠を複数の部材に分割可能に構成し、分割された扉枠の各部材にガラス板の外縁部を嵌め合わせた状態で扉枠の各部材を結合する方向に締め付けることで、扉枠にガラス板を固定するようにしても良い。このようにすれば、扉枠にガラス板の外縁部を確実に圧接又は密着させた状態に固定することができる。また、扉枠にガラス板を固定した後でも、扉枠を分割すれば、扉枠からガラス板を取り外すことができるので、ガラス板の破損時等にガラス板を交換することができる。
【００１０】
或は、請求項３のように、扉枠とガラス板とを接着することで、扉枠にガラス板を固定するようにしても良い。このようにすれば、寸法精度をあまり厳しくしなくても、接着剤等の接着力によって扉枠にガラス板を密着固定することができるので、扉枠とガラス板との取付構造を簡単化することができる。
【００１１】
また、請求項４のように、扉枠に複数枚のガラス板を所定間隔で固定するようにしても良い。このようにすれば、ガラス板による扉枠の補強効果や遮音効果を高めることができると共に、遊技者がガラス板を叩いても、その振動が内側のガラス板に伝わらないようにすることができ、遊技者がガラス板を叩いてパチンコ球の流れを変える不正行為を防止することができる。
【００１２】
【発明の実施の形態】
《実施形態（１）》
以下、本発明をパチンコ機に適用した実施形態（１）を図１乃至図４に基づいて説明する。ここで、図１はパチンコ機１１の分解斜視図、図２はガラス扉１４の分解斜視図、図３はガラス扉１４及びその周辺部の横断面図、図４はガラス扉１４及びその周辺部の縦断側面図である。
【００１３】
まず、図１に基づいてパチンコ機１１（遊技機）の前面側の概略構成を説明する。パチンコ機１１の本体枠１２には、遊技盤１３が取り付けられ、この遊技盤１３に、センター役物、入賞口、入賞装置等（いずれも図示せず）が設けられている。また、遊技盤１３の前面側には、ガラス扉１４が開閉可能に設けられている。一方、パチンコ機１１の前面側下部には、前面パネル１５が設けられ、この前面パネル１５に、パチンコ球を貯溜する球皿（図示せず）や球発射装置（図示せず）の発射操作ハンドル１６が設けられている。
【００１４】
次にガラス扉１４の構成について説明する。図１に示すように、ガラス扉１４の扉枠１７は、例えば樹脂により形成されている。この扉枠１７の中央部には、遊技盤１３を見せるための開口部１８が形成され、この開口部１８に、２枚のガラス板１９が所定の間隔を隔てて取り付けられている。
【００１５】
図２に示すように、扉枠１７は、上下に分割可能に形成され、上側の扉枠部材２０と下側の扉枠部材２１とから構成されている。各扉枠部材２０，２１の開口部１８の内周には、２枚のガラス板１９の外縁部を嵌め込むための２本の嵌合溝２２が所定の間隔を隔てて形成されている。また、上側の扉枠部材２０と下側の扉枠部材２１の結合部には、両者を結合するための結合片部２３，２４が一体に形成されている。これらの結合片部２３，２４は、図２に示すように、扉枠部材２０，２１の側面に設けるようにしても良いが、結合片部２３，２４を扉枠部材２０，２１の前面又は裏面に設けて、結合片部２３，２４が扉枠部材２０，２１の側方にあまり突出しない又は全く突出しないようにしても良い。
【００１６】
分割された扉枠１７の各扉枠部材２０，２１の２本の嵌合溝２２に、それぞれガラス板１９の外縁部を嵌め合わせた状態で、各扉枠部材２０，２１の結合片部２３，２４をネジ２５等で上下方向に締め付けることで、扉枠１７に２枚のガラス板１９の外縁部を圧接又は密着させるように固定して、扉枠１７と２枚のガラス板１９とをユニット化した複層ガラスユニットを構成する。これにより、扉枠１７を２枚のガラス板１９で補強してガラス扉１４全体の強度を増大させる。
【００１７】
本実施形態（１）では、上側の扉枠部材２０の開口部１８のうちの嵌合溝２２の部分（つまりガラス板１９が嵌まる部分）の上下方向寸法Ａと、下側の扉枠部材２１の開口部１８のうちの嵌合溝２２の部分（つまりガラス板１９が嵌まる部分）の上下方向寸法Ｂとの和（Ａ＋Ｂ）を、ガラス板１９の上下方向寸法Ｃよりも少しだけ小さくなるように設定することで、扉枠１７にガラス板１９の外縁部を確実に圧接又は密着させることができるようにしている。
【００１８】
尚、扉枠１７にガラス板１９を固定してユニット化した後でも、ネジ２５を緩めて扉枠１７を上下に分割すれば、扉枠１７からガラス板１９を取り外して交換することができるようになっている。
【００１９】
また、図１に示すように、扉枠１７の左端部の上下２箇所には、それぞれヒンジ軸２６が設けられ、本体枠１２に設けられたヒンジ受部材の軸穴（図示せず）に、各ヒンジ軸２６を嵌合することで、ガラス扉１４（扉枠１７）が本体枠１２に開閉可能に取り付けられる。更に、本体枠１２の右端部の上下２箇所には、フック部２７が設けられ、扉枠１７の右端部の裏面に、該フック部２７と係合する係合部２８が設けられている。これにより、ガラス扉１４を閉じたときに、フック２７部が係合部２８に係合してガラス扉１４が閉鎖状態にロックされるようになっている。
【００２０】
一方、前面パネル１５には、ガラス扉１４のロックを解除するためのキー（図示せず）を差し込むキーシリンダ２９が設けられ、このキーシリンダ２９にキーを差し込んで回動操作することで、フック部２７と係合部２８の係合が解除されてガラス扉１４を開放できるようになっている。
【００２１】
また、扉枠１７の前面には、装飾用のイルミネーション装置３０が、ネジ３１等により着脱可能に組み付けられる。このイルミネーション装置３０は、その表面側に、半透明又は透明の装飾カバー３２が配置され、この装飾カバー３２の裏側に、ランプ、ＬＥＤ等の発光体３３やスピーカー３４等が配線基板３５に組み付けられて配置されている。このイルミネーション装置３０は、ハーネス３６を介して本体枠１２側の制御回路（図示せず）に接続される。尚、扉枠１７自体を装飾効果を有する形状に形成しても良い。また、扉枠１７の裏側に電装品を取り付けるようにしても良い。
【００２２】
また、図３及び図４に示すように、扉枠１７の四辺部裏面には、防犯用のリブ３７が裏側に突出するように一体に形成されている。これにより、ガラス扉１４（扉枠１７）を閉じたときに、図３に示すように、扉枠１７の左右両辺部裏面と上辺部裏面のリブ３７が、本体枠１２に設けられた凹部３８に嵌まり込み、図４に示すように、扉枠１７の下辺部裏面のリブ３７が、前面パネル１５に設けられた凹部３９に嵌まり込むようになっている。この構成では、ガラス扉１４の扉枠１７と本体枠１２（又は前面パネル１５）との隙間から針金等の異物をガラス扉１４の裏面側に侵入させることを防犯用のリブ３７によって防止して、入賞装置等を不正操作する等の不正行為を未然に防止することができる。
【００２３】
また、扉枠１７の幅寸法は、本体枠１２の幅寸法と同じ寸法又はそれよりも少し小さい寸法に形成され、扉枠１７の上下方向寸法は、扉枠１７の上端位置が、本体枠１２の上端位置と同じ又はそれよりも少し低い位置となるように形成されている。更に、扉枠１７の開口部１８の幅寸法は、扉枠１７の幅寸法よりも少し小さい寸法に形成され、扉枠１７の開口部１８の上下方向寸法は、扉枠１７の上下方向寸法よりも少し小さい寸法に形成されている。これにより、扉枠１７が本体枠１２に収まる範囲内で扉枠１７及び開口部１８をできるだけ拡大して、ガラス扉１４のガラス窓部分の面積を拡大できるようにしている。
【００２４】
以上のように構成したガラス扉１４をパチンコ機１１に組み付ける場合には、予め、扉枠１７に２枚のガラス板１９をがた無く固定してユニット化した複層ガラスユニットを構成しておき、この複層ガラスユニットに、ヒンジ軸２６、係合部２８、イルミネーション装置３０等を組み付けたガラス扉１４を、本体枠１２に開閉可能に取り付ける。
【００２５】
また、ガラス扉１４のガラス板１９が破損した場合には、ガラス扉１４を本体枠１２から取り外した後、ネジ２５を取り外して扉枠１７を上下に分割して、扉枠１７からガラス板１９を取り外し、新たなガラス板１９に交換すれば良い。
【００２６】
以上説明した本実施形態（１）では、扉枠１７に２枚のガラス板１９の外縁部を圧接又は密着させるように固定するため、扉枠１７を２枚のガラス板１９で補強してガラス扉１４全体の強度を増大させることができる。これにより、補強用の金属板を省略して低コスト化の要求を満たすことができると共に、扉枠１７の枠部分の幅寸法を細くして、扉枠１７の開口部１８の面積、ひいてはガラス窓部分の面積を拡大することが可能となる。また、扉枠１７にガラス板１９の外縁部を圧接又は密着させるため、ガラス板１９と扉枠１７との間の隙間を無くすことができ、隙間を利用した遊技盤１３に対する不正行為を防止することができると共に、ガラス板１９の振動音も防止することができる。
【００２７】
また、本実施形態（１）では、扉枠１７を上側の扉枠部材２０と下側の扉枠部材２１とに分割可能に構成し、各扉枠部材２０，２１の嵌合溝２２にガラス板１９の外縁部を嵌め合わせた状態で、各扉枠部材２０，２１をネジ２５により上下方向に締め付けることで、扉枠１７にガラス板１９を固定するようにしたので、扉枠１７にガラス板１９の外縁部を確実に圧接又は密着させて、がた無く固定することができる。また、この構成では、扉枠１７にガラス板１９を固定した後でも、ネジ２５を取り外して扉枠１７を二分割すれば、扉枠１７からガラス板１９を取り外すことができるので、ガラス板１９の破損時等にガラス板１９を交換することができる。
【００２８】
更に、本実施形態（１）では、扉枠１７に２枚のガラス板１９を固定してユニット化した複層ガラスユニットを用いるようにしたので、１つの複層ガラスユニットを本体枠１２に開閉可能に取り付けるだけで、２枚のガラス板１９を有するガラス扉１４の組み付けを速やかに完了することができ、パチンコ機１１の組立作業性を向上させることができる。
【００２９】
しかも、扉枠１７に固定するガラス板１９を２枚としたので、ガラス板１９が１枚の場合と比較して、ガラス板１９による扉枠１７の補強効果や遮音効果を高めることができると共に、遊技者がガラス板１９を叩いても、その振動が内側のガラス板１９に伝わらないようにすることができ、遊技者がガラス板１９を叩いてパチンコ球の流れを変える不正行為を防止することができる。
【００３０】
尚、本実施形態（１）では、扉枠１７を分割した各扉枠部材２０，２１の両側の結合部に結合片部２３，２４を設けた構成にして、扉枠部材２０，２１の両側の結合片部２３，２４をネジ２５等で締め付けるようにしたが、扉枠部材２０，２１の一方側の結合部のみに結合片部２３，２４を設け、扉枠部材２０，２１の他方側の結合部を係合機構やヒンジ機構等を介して結合する構成にして、扉枠部材２０，２１の一方側の結合片部２３，２４をネジ２５等で締め付けるようにしても良い。
【００３１】
また、本実施形態（１）では、扉枠１７を上下方向に分割する構成にしたが、扉枠１７の分割方法は適宜変更しても良く、扉枠１７を左右方向に分割する構成にしたり、或は、扉枠１７を斜め方向又は対角線方向に分割する構成にしても良い。更に、扉枠１７を３つ以上に分割しても良い。
【００３２】
また、扉枠を前後方向に分割し、その分割した扉枠部材によりガラス板の外縁部を前後から挟み付けてガラス板を固定するようにしても良い。
【００３３】
《実施形態（２）》
上記実施形態（１）では、扉枠１７を分割した各扉枠部材２０，２１にガラス板１９の外縁部を嵌め合わせた状態で各扉枠部材２０，２１を締め付けることで扉枠１７にガラス板１９の外縁部を圧接又は密着させるように固定したが、図５及び図６に示す本発明の実施形態（２）では、扉枠４１とガラス板４２とを接着することで、扉枠４１にガラス板４２をがた無く密着固定するようにしている。
【００３４】
ここで、図５はガラス扉４０の正面図、図６はガラス扉４０の縦断側面図である。図５に示すように、ガラス扉４０の扉枠４１は、例えば樹脂により、分割できない一体物として形成されている。図６に示すように、扉枠４１の前面と裏面には、それぞれガラス板４２を嵌め込むための凹部４４が、開口部４３の周縁に沿うように形成されている。
【００３５】
そして、扉枠４１の前面側と裏面側の凹部４４に、それぞれガラス板４２を嵌め込んで、ガラス板４２の外縁部と凹部４４とを接着剤や両面テープ等により接着することで、扉枠４１に２枚のガラス板４２をがた無く密着固定して、扉枠４１と２枚のガラス板４２とをユニット化した複層ガラスユニットを構成する。これにより、扉枠４１を２枚のガラス板４２で補強してガラス扉４０全体の強度を増大させる。
【００３６】
以上説明した本実施形態（２）では、扉枠４１とガラス板４２とを接着することで、扉枠４１にガラス板４２を固定するようにしたので、寸法精度をあまり厳しくしなくても、接着剤等の接着力によって扉枠４１にガラス板４２をがた無く密着固定することができ、扉枠４１とガラス板４２との取付構造を簡単化することができるという利点がある。
【００３７】
尚、上記各実施形態（１）、（２）では、扉枠に２枚のガラス板を固定するようにしたが、扉枠に固定するガラス板は２枚に限定されず、１枚又は３枚以上のガラス板を扉枠に固定するようにしても良い。
【００３８】
その他、本発明は、パチンコ機に限定されず、所定数のパチンコ球を発射して組み合わせゲームを行うアレンジ式パチンコ機等、ガラス扉を備えた種々の遊技機に本発明を適用しても良い。
【００３９】
【発明の効果】
以上の説明から明らかなように、本発明の請求項１の遊技機のガラス扉によれば、扉枠にガラス板の外縁部を圧接又は密着させるように固定して扉枠をガラス板で補強するようにしたので、補強用の金属板を省略して低コスト化することができると共に、扉枠の開口部の面積（ガラス窓部分の面積）の拡大化に対応することができる。また、ガラス板と扉枠との間の隙間を無くすことができ、隙間を利用した不正行為やガラス板の振動音も防止することができる。
【００４０】
また、請求項２では、扉枠を分割した各部材にガラス板の外縁部を嵌め合わせた状態で扉枠の各部材を結合する方向に締め付けることで、扉枠にガラス板を固定するようにしたので、扉枠にガラス板の外縁部を確実に圧接又は密着させるように固定することができると共に、ガラス破損時等には、扉枠からガラス板を取り外して交換することができる。
【００４１】
また、請求項３では、扉枠とガラス板とを接着することで、扉枠にガラス板を固定するようにしたので、寸法精度をあまり厳しくしなくても、扉枠にガラス板をがた無く密着固定することができ、扉枠とガラス板との取付構造を簡単化することができる。
【００４２】
更に、請求項４では、扉枠に複数枚のガラス板を固定するようにしたので、ガラス板による扉枠の補強効果、遮音効果、不正防止効果を高めることができる。
【図面の簡単な説明】
【図１】本発明の実施形態（１）におけるパチンコ機の分解斜視図
【図２】実施形態（１）のガラス扉の分解斜視図
【図３】実施形態（１）のガラス扉及びその周辺部の横断面図
【図４】実施形態（１）のガラス扉及びその周辺部の縦断側面図
【図５】実施形態（２）のガラス扉の正面図
【図６】実施形態（２）のガラス扉の縦断側面図
【符号の説明】
１１…パチンコ機（遊技機）、１２…本体枠、１３…遊技盤、１４…ガラス扉、１７…扉枠、１８…開口部、１９…ガラス板、２０…上側の扉枠部材、２１…下側の扉枠部材、２２…嵌合溝、２６…ヒンジ軸、４０…ガラス扉、４１…扉枠、４２…ガラス板、４３…開口部、４４…凹部。
【図１】
2004105522.tif 000003
【図２】
2004105522.tif 000004
【図３】
2004105522.tif 000005
【図４】
2004105522.tif 000006
【図５】
2004105522.tif 000007
【図６】
2004105522.tif 000008